(57)【要約】【課題】近隣住人等に迷惑が及ぶことを抑制しつつ、建物の防犯性能を高める。【解決手段】建物１０にはキッチン２３が設けられており、キッチン２３の外壁２８には排気口３５が形成されている。排気口３５のキッチン２３側にはレンジフードが取り付けられており、レンジフードには換気扇が設けられている。レンジフードの内側には調理臭発生装置が取り付けられている。調理臭発生装置においては、調味料タンク部に貯留された調味料がノズル部から下方に滴下されるとともに、滴下された調味料を受ける受板部がヒータ部により加熱される。この結果、調味料が加熱され、食べ物を調理したときに生じる調理臭が発生する。調理臭発生装置及び換気扇にはコントローラが接続されており、コントローラは、建物１０内に人が不在であることを条件として、調理臭発生装置及び換気扇を駆動し、調理臭を屋外へ放出させる。【選択図】図１
2011022777.tif 000002
【特許請求の範囲】
【請求項１】
建物内のキッチンの外壁部に設けられた換気装置と、
前記キッチンに設けられ、食べ物を調理した時に生じる調理臭を発生させる調理臭発生手段と、
建物内に人が不在であることを判定する判定手段と、
前記判定手段により人が不在であると判定される場合に、前記調理臭発生手段により調理臭を発生させるとともに、前記換気装置を作動させて前記調理臭を屋外に放出させる制御手段と
を備えていることを特徴とする建物の防犯システム。
【請求項２】
前記キッチンには、前記換気装置を備えるレンジフードが設けられ、前記レンジフード内に前記調理臭発生手段が設けられていることを特徴とする請求項１に記載の建物の防犯システム。
【請求項３】
前記調理臭発生手段は、前記調理臭の発生源となる複数の臭い発生材を収容する収容部と、前記臭い発生材から臭いを拡散させる臭い拡散部とを有し、
前記制御手段は、前記複数の臭い発生材のうち少なくとも１つを選択的に用いて前記調理臭を発生させることを特徴とする請求項１又は２に記載の建物の防犯システム。
【請求項４】
前記調理臭発生手段は、前記調理臭の発生源となる臭い発生材を加熱するヒータを有していることを特徴とする請求項１乃至３のいずれか１項に記載の建物の防犯システム。
【請求項５】
前記複数の臭い発生材は調味料であり、前記調理臭発生手段は該調味料を前記ヒータで加熱することを特徴とする請求項４に記載の建物の防犯システム。
【請求項６】
建物内に設けられ、食べ物を調理した時に生じる調理音を発生させる調理音発生手段を備え、
前記制御手段は、前記調理臭発生手段による調理臭発生に合わせて、前記調理音発生手段により調理音を発生させることを特徴とする請求項１乃至５のいずれか１項に記載の建物の防犯システム。
【請求項７】
前記調理臭発生手段による調理臭発生の日時と臭いの種類とを記憶する記憶手段を備え、
前記制御手段は、前記記憶手段により記憶されている調理臭発生の日時と臭いの種類とに基づいて調理臭を発生させることを特徴とする請求項１乃至６のいずれか１項に記載の建物の防犯システム。
【請求項８】
前記建物が構築されている敷地内に人がいることを検知する人検知手段を備え、
前記制御手段は、前記人検知手段により人が検知された場合に、前記調理臭発生手段により調理臭を発生させるとともに、前記換気装置を作動させて前記調理臭を屋外に放出させることを特徴とする請求項１乃至７のいずれか１項に記載の建物。
【請求項９】
人に携帯される携帯機から出力された遠隔操作信号を受信する受信手段を備え、
前記制御手段は、前記受信手段により前記遠隔操作信号が受信された場合に、前記調理臭発生手段により調理臭を発生させるとともに、前記換気装置を作動させて前記調理臭を屋外に放出させることを特徴とする請求項１乃至８のいずれか１項に記載の建物。
【発明の詳細な説明】
【技術分野】
【０００１】
本発明は、建物の防犯システムに関するものである。
【背景技術】
【０００２】
住宅等の建物の防犯システムとして、住人の留守中に音や光を使ってあたかも住人が在宅しているかのような擬装演出を行う技術が提案されている。例えば特許文献１には、屋内又は家屋周辺に居る人の日常生活に伴って自然に発生する生活音を擬装音として出力する構成が記載されている。
【先行技術文献】
【特許文献】
【０００３】
【特許文献１】特開２００６−３９６３２号公報
【発明の概要】
【発明が解決しようとする課題】
【０００４】
しかしながら、上記のように音や光で在宅を擬装演出する構成では、昼間等においてその演出効果が十分でないことが懸念される。すなわち、昼間は外部環境の音が種々発生していること、また外光により屋外が明るくなっていることなどに起因して、音や光による擬装演出では不十分になる場合があると考えられる。また、演出効果を高めるべく例えば音量を上げると、近隣住人等に迷惑が及ぶことが懸念される。
【０００５】
本発明は、近隣住人等に迷惑が及ぶことを抑制しつつ、建物の防犯性能を高めることを主たる目的とする。
【課題を解決するための手段】
【０００６】
上記課題を解決するために、第１の発明は、建物内のキッチンの外壁部に設けられた換気装置と、前記キッチンに設けられ、食べ物を調理した時に生じる調理臭を発生させる調理臭発生手段と、建物内に人が不在であることを判定する判定手段と、前記判定手段により人が不在であると判定される場合に、前記調理臭発生手段により調理臭を発生させるとともに、前記換気装置を作動させて前記調理臭を屋外に放出させる制御手段とを備えていることを特徴とする。
【０００７】
第１の発明によれば、建物内に人が不在である場合、調理臭発生手段にて発生した調理臭が屋外に放出される。この場合、実際には調理が行われていないにもかかわらず、あたかも調理が行われているような擬装演出を行うことが可能となるため、所望の防犯効果を得ることができる。しかも、音や光により在宅を擬装演出する構成に比べて、調理臭は外部環境に紛れにくいため調理臭による演出効果が低下しにくい。また、調理臭は屋外において拡散されて近隣住宅には届きにくく、仮に届いたとしても近隣住宅の住人に不快感を与えることは少ないと考えられる。
【０００８】
以上の結果、近隣住人等に迷惑が及ぶことを抑制しつつ、建物の防犯性能を高めることができる。
【０００９】
第２の発明では、前記キッチンには、前記換気装置を備えるレンジフードが設けられ、前記レンジフード内に前記調理臭発生手段が設けられている。
【００１０】
第２の発明によれば、レンジフード内にて調理臭が発生するため、換気装置が作動することにより調理臭は建物内空間において拡がるのではなくレンジフードから屋外へ放出される。したがって、調理臭が建物内空間に充満することを抑制できる。また、屋外へ放出される調理臭が減少して調理臭による演出効果が低下するという不都合を抑制できる。
【００１１】
第３の発明では、前記調理臭発生手段は、前記調理臭の発生源となる複数の臭い発生材を収容する収容部と、前記臭い発生材から臭いを拡散させる臭い拡散部とを有し、前記制御手段は、前記複数の臭い発生材のうち少なくとも１つを選択的に用いて前記調理臭を発生させる。
【００１２】
第３の発明によれば、調理臭により在宅の擬装演出を行う場合、複数の臭い発生材の少なくとも１つが選択的に用いられるため、調理臭発生手段からは異なる種類の調理臭を発生させることができる。この場合、調理臭の種類を適宜切り替えることにより、調理臭による演出効果を高めることができる。
【００１３】
第４の発明では、前記調理臭発生手段は、前記調理臭の発生源となる臭い発生材を加熱するヒータを有している。
【００１４】
第４の発明によれば、ヒータにより臭い発生材が加熱されることにより臭い発生が促進され、臭い発生効果を高めることができる。また、臭い発生材の加熱に伴って発生する調理臭を、食べ物の加熱調理の際に発生する実際の調理臭に似かよった擬似臭とすることができる。したがって、調理臭の擬装性能を高めることができる。
【００１５】
第５の発明では、前記複数の臭い発生材は調味料であり、前記調理臭発生手段は該調味料を前記ヒータで加熱する。
【００１６】
第５の発明によれば、臭い発生材として日常的に使用される調味料を用いることで、調理臭を擬似発生させる上で実用性に優れたものとなる。また、ヒータにより調味料を加熱することで、その際に発生する臭いを実際の調理臭に近づけることができる。したがって、調理臭の擬装性能をより一層高めることができる。
【００１７】
第６の発明では、建物内に設けられ、食べ物を調理した時に生じる調理音を発生させる調理音発生手段を備え、前記制御手段は、前記調理臭発生手段による調理臭発生に合わせて、前記調理音発生手段により調理音を発生させる。
【００１８】
第６の発明によれば、調理臭に加えて調理音が発生するため、あたかも調理が行われているような擬装演出のリアルさを高めることができる。したがって、建物の防犯性能をより一層高めることができる。
【００１９】
第７の発明では、前記調理臭発生手段による調理臭発生の日時と臭いの種類とを記憶する記憶手段を備え、前記制御手段は、前記記憶手段により記憶されている調理臭発生の日時と臭いの種類とに基づいて調理臭を発生させる。
【００２０】
第７の発明によれば、建物内に人が不在である場合に、あらかじめ設定したスケジュールに合わせて調理臭が屋外へ放出される。この場合、所定の時間帯に毎回異なる調理臭を発生させることが可能であるため、調理臭による擬装演出の不自然さを抑制できる。例えば、通常は調理が行われない時間帯に調理臭による擬装演出が行われることや、毎回同じ調理臭により擬装演出が行われることを回避できる。
【００２１】
第８の発明では、前記建物が構築されている敷地内に人がいることを検知する人検知手段を備え、前記制御手段は、前記人検知手段により人が検知された場合に、前記調理臭発生手段により調理臭を発生させるとともに、前記換気装置を作動させて前記調理臭を屋外に放出させる。
【００２２】
第８の発明によれば、敷地内に進入者がいる場合に調理臭による擬装演出を行うことができる。したがって、その進入者が建物内に不法に侵入することに対する抑止力を発揮できる。
【００２３】
第９の発明では、人に携帯される携帯機から出力された遠隔操作信号を受信する受信手段を備え、前記制御手段は、前記受信手段により前記遠隔操作信号が受信された場合に、前記調理臭発生手段により調理臭を発生させるとともに、前記換気装置を作動させて前記調理臭を屋外に放出させる。
【００２４】
第９の発明によれば、携帯機から遠隔操作信号が出力された場合に調理臭による擬装演出を行うことができる。この場合、携帯機の携帯者が不在予定や時間帯などに合わせて擬装演出を適宜行わせることができる。
【図面の簡単な説明】
【００２５】
【図１】本実施形態における建物のキッチン周辺の構成を示す平面図。
【図２】キッチンの作業台周辺の構成を示す正面図。
【図３】調理臭発生装置の構成を示す図。
【図４】擬装演出制御処理の処理手順を示すフローチャート。
【発明を実施するための形態】
【００２６】
以下、本発明を具体化した一実施形態を図面に基づいて説明する。図１は建物１０のキッチン２３周辺の構成を示す平面図である。
【００２７】
図１に示すように、住宅等の建物１０は敷地１１内に構築されている。敷地１１は道路１２や隣地１３と隣接しており、敷地１１と道路１２や隣地１３との境界部には、塀や柵などの区画体が敷地境界線１４に沿って延びるように設けられている。敷地１１と道路１２との境界部には門などの敷地出入口１５が設けられている。
【００２８】
建物１０には、玄関２１とリビング２２とキッチン２３とが設けられている。玄関２１及びリビング２２は道路１２に対して敷地１１の手前側に配置されており、玄関２１への出入りを可能とする玄関出入口２５は、道路１２に対して建物１０の正面に配置されている。キッチン２３は、道路１２に対して敷地１１の奥側に配置されており、キッチン２３への出入りを可能とする勝手口２６は、道路１２に対して建物１０の側面に配置されている。玄関出入口２５及び勝手口２６は建物出入口として建物１０の外壁２８に形成されている。
【００２９】
なお、建物１０において玄関２１、リビング２２、キッチン２３は建物内空間となっている。また、外壁部としての外壁２８には、玄関出入口２５や勝手口２６の他に窓部２９が複数設けられている。
【００３０】
キッチン２３には料理用の作業台３１が設置されており、作業台３１には流し台３２やガスコンロ３３が設けられている。流し台３２や加熱調理機器としてのガスコンロ３３は調理設備となっており、作業台３１では調理設備を用いて調理が行われる。外壁２８におけるガスコンロ３３の近傍には排気口３５が設けられており、排気口３５は、キッチン２３などの建物内空間の内気を屋外へ排出することが可能となっている。排気口３５は外壁２８において勝手口２６と同じ面に配置されており、勝手口２６の近傍に存在している。
【００３１】
次に、キッチン２３の構成について図２及び図３を参照しつつ説明する。図２はキッチン２３の作業台３１周辺の構成を示す正面図、図３は調理臭発生装置５１の構成を示す断面図である。なお、図２及び図３には電気的な構成を含んだ図を示している。
【００３２】
図２に示すように、作業台３１の上方には、収納棚としてのキャビネット４１と、ガスコンロ３３にて発生した臭いや熱を排気口３５に導くレンジフード４２とが設けられている。レンジフード４２はガスコンロ３３の上方に配置されており、排気口３５に接続された排気ダクト４３を有している。また、レンジフード４２には換気装置としての換気扇４５が設けられている。換気扇４５は電気モータを含んで構成されており、電気モータが駆動することによりキッチン２３内の空気を屋外へ強制的に排出する。この場合、換気扇４５はキッチン２３の外壁２８に設けられていることになる。排気口３５の屋外側には、外壁２８に対して取り付けられた外部フード４７が設けられている。
【００３３】
本実施形態では、食べ物を調理したときに生じる調理臭を発生させるとともにその調理臭を屋外へ放出することにより、実際には調理が行われていないにもかかわらず、あたかも調理が行われているかのような擬装演出を行い、それにより、不審者が建物１０内に不法に侵入することに対して抑止力を発揮する防犯システムが構築されている。
【００３４】
キッチン２３においてレンジフード４２には、調理臭を発生させる調理臭発生手段としての調理臭発生装置５１が設けられている。調理臭発生装置５１は、レンジフード４２の内側面に取り付けられている。ここで、調理臭発生装置５１について説明する。
【００３５】
図３に示すように、調理臭発生装置５１は、液状の調味料を貯留する調味料タンク部５３と、調味料タンク部５３に貯留された調味料を滴状で下方に放出するノズル部５４と、ノズル部５４の開閉を行う電気式のノズル開閉部５５と、ノズル部５４から滴下された調味料を受ける受板部５６と、受板部５６を加熱する電気式のヒータ部５７とを有している。
【００３６】
調味料タンク部５３は複数設けられており、各調味料タンク部５３には醤油やソース、ゴマ油など液状の異なる調味料がそれぞれ個別に貯留されている。また、ノズル部５４は各調味料タンク部５３にそれぞれ設けられており、各ノズル部５４はノズル開閉部５５により個別に開閉される。
【００３７】
なお、調理臭発生装置５１は、ベース部５８と、ベース部５８の上方に配置されたアーム部５９とを有しており、ベース部５８に受板部５６及びヒータ部５７が設けられ、アーム部５９に調味料タンク部５３、ノズル部５４及びノズル開閉部５５が設けられている。また、受板部５６はノズル部５４の下方に配置されており、伝熱性の高い金属材料により形成されている。
【００３８】
調理臭発生装置５１においては、ノズル開閉部５５により少なくとも１つのノズル部５４が開放されることにより調味料が受板部５６に向けて滴下され、滴下された調味料はヒータ部５７の作動に伴って加熱される。この結果、調理臭発生装置５１からは調味料が加熱された臭い調理臭として発生する。ここでの調理臭は、ガスコンロ３３での加熱調理に伴って発生する加熱調理臭に相当する擬似臭となっている。
【００３９】
ここでは、調味料は加熱されることで調理臭を発生させる調理臭の発生源となっており、臭い発生材に相当する。この場合、調味料タンク部５３は臭い発生材を収容する収容部に相当し、ヒータ部５７は加熱することで臭い発生材から臭いを拡散させる拡散部に相当する。
【００４０】
また、調理臭発生装置５１においては、調理臭の他にも、ヒータ部５７が調味料を加熱する熱が調理熱として発生するとともに、加熱された調味料が蒸発する音が調理音として発生する。なお、調理臭を発生させる加熱調理としては、肉や野菜などの食べ物を焼く際に調味料を使用する調理を想定している。
【００４１】
調理臭発生装置５１にて発生した調理臭は、換気扇４５の作動に伴ってレンジフード４２から排気口３５を通じて屋外へ放出される。この場合、調理臭はレンジフード４２内にて発生することになるため、レンジフード４２からキッチン２３側へは拡散しにくくなっている。なお、調理臭に加えて、調理臭発生装置５１から発生した調理熱や調理音も排気口３５を通じて屋外へ放出される。
【００４２】
次に、調理臭発生装置５１の電気に関する構成について説明する。
【００４３】
調理臭発生装置５１において、ヒータ部５７及びノズル開閉部５５は調理臭制御部６１に接続されている。調理臭制御部６１はＣＰＵや各種メモリからなるマイクロコンピュータを含んで構成されており、調理臭発生装置５１に内蔵されている。調理臭制御部６１は指令信号を出力することによりヒータ部５７及びノズル開閉部５５の動作制御を行う。
【００４４】
図２の説明に戻り、調理臭制御部６１は制御手段としてのコントローラ６５に接続されている。コントローラ６５は、ＣＰＵや各種メモリからなるマイクロコンピュータを含んで構成されており、例えばキッチン２３の壁面に取り付けられている。コントローラ６５は、手動操作が行われる操作部６６と、建物１０の住人の不在予定や、在宅を擬装する擬装演出予定などを記憶しているスケジューラ６７と、人に関する識別情報を記憶している記憶部６８とを有している。スケジューラ６７に記憶されている人の不在予定や擬装演出予定は、住人等による操作部６６への入力操作により入力又は変更が可能となっている。なお、擬装演出予定においては、調理臭を屋外に放出する日時や、放出させる調理臭の種類が設定されており、都度の調理臭は前回の擬装演出とは異なる種類の調理臭に設定されている。
【００４５】
コントローラ６５には、敷地１１内において建物１０の周囲の屋外領域に人がいることを検知する人検知手段としての屋外人感センサ７１と、人に携帯される携帯電話等の携帯機Ｋとの無線通信が可能な受信部としての通信装置７２とが接続されている。屋外人感センサ７１は、例えば外壁の屋外面に複数取り付けられている。携帯機Ｋは、携帯者に対応した識別情報や、携帯者の入力操作に対応した遠隔操作信号を出力することが可能となっており、通信装置７２は、携帯機Ｋからの識別情報や遠隔操作信号を受信することが可能となっている。コントローラ６５は、携帯機Ｋからの識別情報に基づいて人に関する認証処理を行うとともに、遠隔操作信号に基づいて換気扇４５や調理臭発生装置５１の動作制御を行う。
【００４６】
次に、コントローラ６５によって行われる在宅を擬装する擬装演出制御処理について、図４のフローチャートを参照しつつ説明する。なお、本処理は所定周期で実行される。
【００４７】
図４において、ステップＳ１１では、屋外人感センサ７１及び通信装置７２からの各種信号を取得する。ステップＳ１２では、スケジューラ６７に記憶されている住人の不在予定に基づいて、建物１０に人が不在であるか否かを判定する。現在が住人の不在予定時刻ではない場合、人が在宅であるため在宅擬装の必要がないとして、そのまま本処理を終了する。
【００４８】
現在が住人の不在予定時刻である場合、屋外人感センサ７１の検知信号に基づいて、敷地１１内に人が進入したか否かを判定する。人の不在中に敷地１１内に人が進入した場合、ステップＳ１４に進み、通信装置７２にて受信した携帯機Ｋからの識別情報に基づいて、進入者が登録者であるか否かを判定する。具体的には、人の進入が検知されたことに伴い、携帯機Ｋから識別情報を受信し、携帯機Ｋの識別情報と記憶部６８の識別情報とが一致するか否かの照合を行う。それら識別情報が一致する場合、進入者が登録者であるとして、在宅を擬装せずにそのまま本処理を終了する。一方、それら識別情報が一致しない場合、進入者が不審者であるとして（非登録者であるとして）、不審者用の擬装演出処理をステップＳ１５，Ｓ１６にて行う。
【００４９】
不審者用の擬装演出処理においてステップＳ１５では、不審者用の調理臭発生処理を行う。不審者用の調理臭発生処理では、調理臭制御部６１に対して指令信号を出力し、調理臭発生装置５１を駆動させる。具体的には、複数のノズル開閉部５５の少なくとも１つを開放させるとともに、ヒータ部５７を作動させる。この結果、複数の調味料のうち少なくとも１つが選択的に受板部５６上に滴下され、その滴下された調味料が受板部５６にて加熱される。このようにして、調理臭発生装置５１から調理臭だけでなく調理熱や調理音を発生させる。
【００５０】
ステップＳ１６では、不審者用の調理臭放出処理を行う。調理臭放出処理では換気扇４５を駆動させ、調理臭発生装置５１から発生した調理臭や調理熱を排気口３５から屋外へ放出させる。なお、調理音は換気扇４５の駆動に関係なく、排気口３５や通気孔などを通じて屋外へ伝わる。
【００５１】
なお、不審者用の擬装演出処理において、敷地１１内から進入者が退去した場合、つまり敷地１１内にて人が検知されなくなった場合、調理臭発生装置５１の駆動を停止させる。また、換気扇４５は調理臭発生装置５１の駆動停止に合わせて駆動停止させる。これにより、いつまでも調理臭が屋外へ放出され続けるといった不都合を回避できる。
【００５２】
人の不在中に敷地１１内への進入者が検知されない場合（ステップＳ１３がＮＯ判定の場合）、ステップＳ１７に進み、携帯機Ｋからの遠隔操作信号を通信装置７２が受信したか否かを判定する。遠隔操作信号を受信した場合、ステップＳ１８，Ｓ１９に進み、遠隔操作用の擬装演出処理を行う。
【００５３】
遠隔操作用の擬装演出処理において、ステップＳ１８では遠隔操作用の調理臭発生処理を行い、ステップＳ１９では遠隔操作用の調理臭放出処理を行う。ここで、遠隔操作用の調理臭発生処理では、不審者用の調理臭発生処理と同様に調理臭発生装置５１を駆動させて調理臭を発生させる一方で、駆動開始から遠隔操作用所定時間（例えば３０分）が経過したら調理臭発生装置５１の駆動を停止させる。また、換気扇４５は調理臭発生装置５１の駆動停止に合わせて駆動停止させる。
【００５４】
遠隔操作信号を受信していない場合（ステップＳ１７がＮＯ判定の場合）、ステップＳ２０に進み、現在が擬装演出予定時刻であるか否かを判定する。擬装演出予定としては、例えば昼間の１２：００〜１２：３０と夕方の１７：００〜１７：４５とが設定されている。現在が擬装演出開始時刻である場合、予定通りの擬装演出処理をステップＳ２１，Ｓ２２にて行う。
【００５５】
予定通りの擬装演出処理において、ステップＳ２１では予定通りの調理臭発生処理を行い、ステップＳ２２では予定通りの調理臭放出処理を行う。ここで、予定通りの調理臭発生処理では、不審者用の調理臭発生処理と同様に調理臭発生装置５１を駆動させて調理臭を発生させる一方で、昼間の擬装演出であれば駆動開始から昼間用所定時間（例えば３０分）が経過したら調理臭発生装置５１の駆動を停止させ、夕方の擬装演出であれば駆動開始から夕方用所定時間（例えば４５分）が経過したら調理臭発生装置５１の駆動を停止させる。また、換気扇４５は調理臭発生装置５１の駆動停止に合わせて駆動停止させる。
【００５６】
以上詳述した本実施形態によれば、以下の優れた効果が得られる。
【００５７】
建物１０内に人が不在中に不審者が敷地１１内に進入した場合、調理臭発生装置５１の駆動に伴って調理臭が発生するとともに、換気扇４５の駆動に伴って調理臭がキッチン２３から屋外へ放出される。この場合、実際には調理が行われていないにもかかわらず、在宅を擬装する擬装演出処理が行われることになり、敷地１１内に進入した不審者に人が建物１０内にいると思い込ませることができる。つまり、不審者が建物１０内に不法に侵入することに対する抑止力を在宅時と同じように発揮できる。
【００５８】
しかも、音や光により在宅を擬装演出する構成では、擬装音が騒音に紛れて演出効果が低下することや、擬装光が太陽光に紛れて演出効果が低下することが想定されるが、調理臭は外部環境に紛れにくいため擬装臭による演出効果が低下しにくい。さらに、屋外に放出された調理臭は拡散されるため、近隣住宅に届きにくくなっており、仮に届いたとしても近隣住宅の住人に不快感を与えることは少ないと考えられる。
【００５９】
以上の結果、近隣住人等に迷惑が及ぶことを抑制しつつ、建物１０の防犯性能を高めることができる。
【００６０】
調理臭が放出される排気口３５の近傍には勝手口２６が配置されているため、調理臭は勝手口２６周辺に放出されることになる。ここで、人目に付きにくい場所から建物１０内に不法に侵入するために不審者が玄関出入口２５ではなく勝手口２６に向かった場合、その不審者は調理臭を嗅ぐことになる。したがって、調理臭による擬装演出の演出効果をより確実に不審者に付与することができる。
【００６１】
調理臭発生装置５１がレンジフード４２内に設けられているため、調理臭はレンジフード４２内にて発生し、換気扇４５の駆動に伴ってキッチン２３側に拡がるのではなく排気口３５を通じて屋外へ放出される。したがって、調理臭がキッチン２３などの建物内空間に充満するといった不都合を回避できる。しかも、屋外へ放出される調理臭の減少が抑制されるため、在宅の擬装演出の効果が低下することを抑制できる。
【００６２】
調理臭発生装置５１においては、複数の調味料の少なくとも１つを選択的に用いることにより調理臭を発生させるため、選択する調味料の種類や組み合わせを変えることにより異なる調理臭が発生することになる。したがって、調理臭の種類を適宜切り替えることにより擬装演出における演出効果を高めることができる。
【００６３】
特に、予定通りの調理臭発生処理では、調理臭発生装置５１から都度の擬装演出において前回の調理臭とは異なる種類の調理臭を発生させるため、屋外へ放出される調理臭が毎回同じであるといった不自然さを回避できる。これにより、定期的に行われる擬装演出について回数を重ねるごとに調理臭による演出効果が低下するといった不都合を回避できる。また、擬装演出を実行する日時があらかじめ設定されているため、通常は調理が行われない時間帯に調理臭が屋外へ放出されるといった不自然さを回避できる。
【００６４】
液状の調味料を加熱することにより調理臭を発生させるため、調理臭を、食べ物の加熱調理の際に発生する実際の調理臭に似かよった擬似臭とすることができる。これにより、調理臭の擬装性能を高めることができる。
【００６５】
携帯機Ｋの携帯者は遠隔操作を行うことで調理臭による擬装演出を行わせることができる。したがって、携帯者は、帰宅時間が遅くなったことなどにより建物１０の不在予定が急遽変更された場合に、擬装演出予定に含まれていなかった時間帯に調理臭を屋外へ放出させることができる。つまり、携帯機Ｋの携帯者の都合に合わせて擬装演出を適宜行わせることができる。
【００６６】
建物１０内に人が不在であることを条件として調理臭による擬装演出が行われるため、人が実際にキッチン２３で調理を行っているにもかかわらず調理臭発生装置５１が駆動するといった不都合を回避できる。
【００６７】
（他の実施形態）
本発明は上記実施形態の記載内容に限定されず、例えば次のように実施してもよい。
【００６８】
（１）調理臭発生装置５１は、固体状の調味料を加熱する構成や、食材（加熱することで臭いを発生する加工食材等）を加熱する構成であってもよい。
【００６９】
（２）調理臭発生装置５１において、調理臭を発生させることが可能な芳香剤のような臭い発生材を収容部に収容し、収容部に設けられた開閉体を開放させることにより収納部内から調理臭を拡散させてもよい。例えば、収容部を複数備え、それら収容部には異なる臭い発生材をそれぞれ収容させ、少なくとも１つの収容部の開閉体が選択的に開放される構成とする。この構成によれば、調味料を加熱しなくても、加熱調理を行っている時の加熱調理臭や、調理に熱を必要としない非加熱調理臭（例えば香辛料を含む調理臭）などを適宜発生させることができる。なお、臭い発生材から発生される調理臭としては、炒飯の調理臭や、ラーメンの調理臭、カレーの調理臭が挙げられる。
【００７０】
（３）調理熱を発生させる調理熱発生手段としての調理熱発生装置や、調理音を発生させる調理音発生手段としての調理音発生装置が、調理臭発生装置５１とは別にキッチン２３に設けられていてもよい。例えば、調理音発生装置を、食べ物を調理した時に生じる調理音を記憶した記憶手段と、記憶部に記憶された調理音を出力するスピーカとを備えている構成とする。この構成によれば、調理音の音量を調整することができるため、調理音を屋外側に聞こえやすくすることができる。これにより、調理臭及び調理音による擬装演出のリアルさを高めることができる。また、スピーカから出力される調理音を適宜切り替えることにより、都度の擬装演出において毎回同じ調理音が出力されるといった不自然さを回避できる。
【００７１】
（４）調理臭発生装置５１はレンジフード４２の外側や作業台３１に設置されていてもよい。この場合でも、換気扇４５を駆動させることにより、調理臭発生装置５１から発生した調理臭をレンジフード４２内に取り込むとともに屋外へ放出することができる。
【００７２】
（５）上記実施形態では、コントローラ６５において、人の不在予定に基づいて建物１０内に人が不在であるか否かの判定が行われる構成としたが、建物１０内に人がいることを検知する屋内人感センサが設けられ、屋内人感センサの検知結果に基づいて建物１０内に人が不在であるか否かの判定が行われる構成としてもよい。
【００７３】
（６）調理臭発生装置５１の駆動に伴って、キッチン２３に設けられた照明器具が点灯する構成としてもよい。例えば、予定通りの擬装演出処理が夜間に行われるように設定されている場合、夕方の擬装演出を行う際には調理臭発生装置５１に加えて照明器具を駆動させる。これにより、キッチン２３から屋外へ調理臭が放出されているにもかかわらずキッチン２３の照明器具が点灯していないといった不自然さを回避できる。つまり、調理臭による演出効果をより一層高めることができる。
【００７４】
（７）敷地１１内への進入者が非登録者である場合に、不審者用の擬装演出処理において、調理臭発生装置５１及び換気扇４５を駆動開始から所定時間経過したら駆動停止させる構成としてもよい。また、遠隔操作用の擬装演出処理において、携帯機Ｋが遠隔停止信号を出力し、その遠隔停止信号を通信装置７２が受信した場合に、調理臭発生装置５１及び換気扇４５を駆動停止させる構成としてもよい。
【００７５】
（８）コントローラ６５には、報知音を出力する報知手段としてのスピーカや、報知するために点灯する表示灯、敷地１１内の屋外領域を撮像する撮像手段としての監視カメラなどが電気的に接続されていてもよい。例えば、コントローラ６５は、擬装演出処理において、調理臭発生装置５１及び換気扇４５を駆動させる他に、報知手段による報知音の出力や、表示灯の点灯、監視カメラによる敷地１１内の撮像、さらには通信装置７２を通じての外部施設（警備会社や警察など）や携帯機Ｋへの通報などを行わせる構成とする。
【符号の説明】
【００７６】
１０…建物、１１…敷地、２３…キッチン、２８…外壁部としての外壁、４２…レンジフード、４５…換気装置としての換気扇、５１…調理臭発生手段としての調理臭発生装置、５３…収容部としての調味料タンク部、５７…拡散部及びヒータとしてのヒータ部、６５…判定手段及び制御手段としてのコントローラ、６７…記憶手段としてのスケジューラ、７１…人検知手段としての屋外人感センサ、７２…受信手段としての通信装置、Ｋ…携帯機。
【図１】
2011022777.tif 000003
【図２】
2011022777.tif 000004
【図３】
2011022777.tif 000005
【図４】
2011022777.tif 000006